(57)【要約】【課題】 Ｕ型ロック錠において、構造を単純化するとともに、スムーズな施錠操作、開錠操作ができるようにする。【解決手段】上面に施錠孔を開口させ、中央部に鍵穴を臨ませてシリンダー錠機構を内蔵した錠本体と、下部内側に施錠凹部を設けたＵ字型の閂杆を組合わせ、前シリンダー錠機構の内端に一対の係合突起を起立させた回転レバーを嵌着し、上記係合突起と施錠孔との間に、付勢ばねを備えて先端部を常時施錠孔内に出入自在に突出させる左右一対のスライドレバーを介設して、閂杆の錠止凹部をスライドレバーの先端部に係合させ、シリンダー錠機構からキーを抜いてロックするようにしたＵ型ロック錠を提供する。【選択図】図１
2005179890.tif 000002
【特許請求の範囲】
【請求項１】
器体の中央部に鍵穴を臨ませてシリンダー錠機構を内蔵し、上面に左右一対の施錠孔を開口させた錠本体と、下部両端を上記施錠孔に嵌合して上記シリンダー錠機構に施錠されるＵ字型の閂杆とを組合わせたＵ型ロック錠において、前記閂杆の下部に、互い内側に向かい合う錠止凹部を設ける一方、前記シリンダー錠機構の内端に、径方向に一対の係合突起を起立させた回転レバーをシリンダー部と一体回転するように備え、この回転レバー側の係合突起と、前記施錠孔との間に、それぞれに付勢ばねを備えて先端部を常時施錠孔内に出入自在に突出させる左右一対のスライドレバーを介設し、上記閂杆の下部が施錠孔内に挿入されると、上記付勢ばねに抗してスライドレバーの先端部が後退して閂杆の下端部の挿入を許容した後、自動復帰して上記錠止凹部にスライドレバーを係合させ、前記シリンダー錠機構のキーを抜いてシリンダー部を非回転に保持させることにより、錠本体内に閂杆の両端部をロックさせるようにしたことを特徴とするＵ型ロック錠。
【請求項２】
前記錠本体の施錠孔は、それぞれの内端に、前記閂杆の端部を弾性的に支承する受け金と受けばねを装着して、閂杆の施錠位置が一定位置に保持されるようにしたことを特徴とする請求項１記載のＵ型ロック錠。
【請求項３】
回転レバーに起立させた前記一対の係合突起と、該係合突起を嵌合するように前記スライドレバーに設けた切欠部の一端との間に、上記スライドレバーのみの後退を許容して、前記施錠孔内に挿入される前記閂杆の下端部の通過を許容するようにしたクリアランスを設けたことを特徴とする請求項１記載のＵ型ロック錠。
【発明の詳細な説明】
【技術分野】
【０００１】
本発明は、Ｕ字型の閂杆の両端部を錠本体内に備えたシリンダー錠機構に施錠させるようにしたＵ型ロック錠に関し、特にこの種の錠装置を衝撃に対して強化することにより、施錠状態にあるＵ字型の閂杆または錠本体に衝撃を加えて錠前が不法に開錠されないようにしたことを特長とするものである。
【背景技術】
【０００２】
従来のこの種の錠は、主として自転車あるいはバイクのタイヤをロックする場合に用いられるが、錠施錠状態にあるＵ字型の閂杆または錠本体にハンマーなどで打撃が加えられると、閂杆の下部に設けた錠止凹部と施錠機構側のストッパーとの係合部分が外れたり、施錠機構が破壊されたりして不法に開錠され、車輌が盗難に遭う場合がある。
【０００３】
【特許文献１】特開平８−２９１６６１号公報（例えば、第１頁参照）
【特許文献２】特開平８−８６１３２号公報（例えば、第１頁参照参照）
【特許文献３】実開平５−２８８７０号公報（例えば、第１頁参照参）
【特許文献４】登録実用新案３０５８３４３号公報（例えば、第１頁参照）
【特許文献５】特開２０００−３３６９９８号公報（例えば、第１頁参照）
【特許文献６】特開２００２−３０９８２９号公報（例えば、第１頁参照）
【０００４】
例えば、特許文献１−４のように施錠機構と錠本体との軸線が横一線に揃っているＵ型ロック錠にあっては、横からの打撃に弱い欠点がある。
この欠点を除去するように、錠本体の中央部下面に鍵穴を備えて施錠機構の軸線を縦に形成した特許文献５、６のＵ型ロック錠は、構造が複雑になってコスト高をまねくとともに、施錠操作、開錠操作のスムーズさに劣る欠点がある。
【発明の開示】
【発明が解決しようとする課題】
【０００５】
以上のことから、本発明が解決しようとする問題点は、錠本体の中央部に鍵穴を備えて施錠機構の軸線を縦に形成したＵ型ロック錠において、構造を単純化するとともに、スムーズな施錠操作、開錠操作ができるようにすることにある。
【課題を解決するための手段】
【０００６】
そこで本発明は、上記の課題を解決するために、器体の中央部に鍵穴を臨ませてシリンダー錠機構を内蔵し、上面に左右一対の施錠孔を開口させた錠本体と、下部両端を上記施錠孔に嵌合して上記シリンダー錠機構に施錠されるＵ字型の閂杆とを組合わせたＵ型ロック錠において、前記閂杆の下部に、互い内側に向かい合う錠止凹部を設ける一方、前記シリンダー錠機構の内端に、径方向に一対の係合突起を起立させた回転レバーをシリンダー部と一体回転するように備え、この回転レバー側の係合突起と、前記施錠孔との間に、それぞれに付勢ばねを備えて先端部を常時施錠孔内に出入自在に突出させる左右一対のスライドレバーを介設し、上記閂杆の下部が施錠孔内に挿入されると、上記付勢ばねに抗してスライドレバーの先端部が後退して閂杆の下端部の挿入を許容した後、自動復帰して上記錠止凹部にスライドレバーを係合させ、前記シリンダー錠機構のキーを抜いてシリンダー部を非回転に保持させることにより、錠本体内に閂杆の両端部をロックさせるようにしたことを特徴とするＵ型ロック錠を提供するものである。
【発明の効果】
【０００７】
本発明に係るＵ型ロック錠は、錠本体の中央部に鍵穴を臨ませて施錠機構の軸線を縦に形成したので左右から錠本体を打撃することが難しい。Ｕ字型の閂杆は施錠凹部を内側側面にのみ具えているので、衝撃に対する強度が具わるとともに、振動に対する強度が具わる。また、錠本体内部における閂杆側の施錠凹部とスライドレバー側の先端部との係合、脱出がスムーズに行なわれ、施錠操作、開錠操作が円滑にできるとともに、製作を容易にしてコストダウンができる。
【０００８】
また、錠本体の上面に開口する施錠孔には、それぞれの内端に受け金と受けばねを装着して、閂杆の下端部を弾性的に支承するようにした請求項２の発明は、閂杆側の施錠凹部とスライドレバー側の先端部とが係合する閂杆の施錠位置が受けばねの付勢により一定位置に保持されるので、耐振性に優れ施錠の信頼性が向上する。
【０００９】
回転レバーに起立させた前記一対の係合突起と、該係合突起を嵌合するように前記スライドレバーに設けた切欠部の一端との間に、上記スライドレバーのみの後退を許容して、前記施錠孔内に挿入される前記閂杆の下端部の通過を許容するクリアランスを設けることによって、施錠機構にキーが挿入されていない場合にも、施錠孔内に閂杆の下端部が挿入できるので、施錠操作の利便性を増すことができる。
なお、錠本体の一方から打撃が加えられた時には、上記クリアランスに従って打撃を加えられた側のスライドレバーが後退することがあっても、両側から同時に打撃が加えられない限り両方のスライドレバーが同時に開錠動作を生ずることがなく、クリアランスを設けることによって施錠の信頼性が損なわれることはない。
【発明を実施するための最良の形態】
【００１０】
Ｕ型ロック錠において、錠ケースの中央部下面に鍵穴を臨ませ、軸線を縦にしてリンダー錠機構を内蔵させる。このリンダー錠機構のリンダー部の内端に、径方向に係合突部を対設した回転レバーを取り付け、この回転レバーの係合突部と施錠孔との間に、それぞれ付勢ばねに付勢されたスライドレバーを介設し、該レバーの先端部を常時施錠孔内に弾性的に突出させて、閂杆の下端部の挿入を許容した後、自動復帰するスライドレバー側の先端部を、内側にのみ設けた閂杆側の施錠凹部に嵌入させる。次いでシリンダー錠機構からキーを抜くことにより、シリンダー部を非回転にして、閂杆側の施錠凹部に先端部を嵌合させているスライドレバーを固定する。
【実施例】
【００１１】
以下に、本発明の実施例を図面について説明する。  
図１は、錠本体部分の分解斜視図、図２は、実施例の分解斜視図、図３は、施錠機構部分の一部切欠拡大断面図、図４は、スライドレバーに関して別の実施例を示す分解斜視図である。
【００１２】
図において、１は、上面に左右一対の施錠孔２を開口させ、図３に示すように、中央部下面に鍵穴３’を臨ませて、シリンダー錠機構３を内蔵した錠本体、４は、下部両端に、互い内側に向かい合う錠止凹部５を設け、上記シリンダー錠機構３に施錠されるＵ字型の閂杆、６は、径方向に一対の係合突起７を起立させて、シリンダー錠機構３の内端でシリンダー部８に嵌着し、互いに一体回転するように備えた回転レバー、９は、回転レバー側の係合突起７と施錠孔２との間に備えられ、先端部９’を常時施錠孔２内に出入自在に突出させた左右一対のスライドレバー、１０は、上記スライドレバー９を常時施錠孔２に向けて付勢する付勢ばね、１１は、錠本体１を嵌合するケースカバーである。
【００１３】
次ぎに、上記の構成を備えたこの実施例の作動を図３について説明すると、Ｕ字型の閂杆４の下部を施錠孔２に挿入すると、施錠孔２内に先端部９’を臨出させているスライドレバー６が付勢ばね１０に抗して一端後退した後、錠止凹部５との整合位置で自動的に復帰し、先端部９’を係合させ当該位置にＵ字型の閂杆４の下降位置を掛止する。
次いで、シリンダー錠機構３のキー１２を抜くと、シリンダー部８が非回転に固定されて、錠本体１内に閂杆４の両端部がロックされる。
【００１４】
この実施例において、錠本体１の上面に開口する施錠孔２には、それぞれの内端に逆椀形の受け金１３と、受けばね１４を装着し、閂杆４の下端部を弾性的に支承するようにしている。そのため、ロック状態の閂杆４には、常時上向きに加圧されていて、閂杆側の施錠凹部５とスライドレバー側の先端部９’との係合位置（施錠位置）が受けばね１４の付勢により一定に保持される。
【００１５】
上記のようにして、Ｕ字型の閂杆４の下部に内側にのみ施錠凹部５を設け、下面に鍵穴３’を臨ませた錠本体１内にシリンダー錠機構３を設け、シリンダー部８に係合突部７を対設した回転レバー６を嵌着し、係合突部７と施錠孔２との間に付勢ばね１０に付勢される左右一対のスライドレバー９を介設したこのＵ型ロック錠は、錠本体１に対して横から両側同時に打撃が加えられない限り左右一対のスライドレバー９が両方とも開錠位置へ移動することがなく、打撃が加え難い上に、錠機構そのものが破損することを少なくすることができる。また、Ｕ字型の閂杆４の下部に内側にのみ施錠凹部５を設けることにより、閂杆４にも強度が具わり、ロック時の信頼性が高いとともに、施錠孔２に対する閂杆４のスムーズな着脱ができる。
【００１６】
次ぎに、左右一対のスライドレバー９について施錠操作性を改良した別の実施例を図４について説明すると、
回転レバー６に起立させた一対の係合突起７と、該係合突起７を嵌合するようにスライドレバー９にそれぞれ設けた切欠部１５の一端１５’との間に、回転レバー６を従動させることなく上記スライドレバー９のみの後退を許容して、施錠孔２内に挿入される閂杆４の下端部４’の通過を許容するクリアランスＣを設けると、施錠機構３にキー１２が挿入されていない場合でも、施錠孔２に閂杆４の下端部４’を挿入することができ、施錠操作の利便性が増す。
【００１７】
なお、閂杆４の下端部４’の通過後には図１〜図３に示す実施例の場合と同様に、付勢ばね１０に付勢されるスライドレバー９が復帰ので、閂杆４は自動的に施錠状態に切り替わる。
図４については、上記各部の構成以外には図１〜図３に示す実施例の場合と同じ符号を付して、説明を省略する。
【産業上の利用可能性】
【００１８】
本発明の実施は、自転車その他の二輪車に適用できる。また、各部の形態などは、本発明の目的に沿って、実施例の態様のみに限定されるものではない。
【図面の簡単な説明】
【００１９】
【図１】錠本体部分の分解斜視図である。
【図２】実施例の分解斜視図である。
【図３】施錠機構部分の一部切欠拡大断面図である。
【図４】スライドレバーに関して別の実施例の分解斜視図である。
【符号の説明】
【００２０】
１  錠本体
２  施錠孔
３  シリンダー錠機構  （３’  鍵穴）
４  Ｕ字型の閂杆  （４’  下端部）  
５  錠止凹部
６  回転レバー６
７  係合突起
８  シリンダー部
９  スライドレバー  （９’  先端部）
１０  付勢ばね
１１  ケースカバー
１２  キー
１３  受け金
１４  受けばね
１５  切欠部  （１５’  一端）
Ｃ  クリアランス
【図１】
2005179890.tif 000003
【図２】
2005179890.tif 000004
【図３】
2005179890.tif 000005
【図４】
2005179890.tif 000006